(57)【特許請求の範囲】
【請求項１】
アッパー部材の内甲側壁部の下方部位又は底壁部と前記アッパー部材の外甲側壁部の上下中間部位又は上方部位との間に、紐状又はベルト状のバンド部材が前記底壁部の踵相当部位を経由して引張操作自在な状態で架設され、
前記バンド部材の引張操作によって、前記バンド部材の中間部を足挿入空間の下部の外甲側部位から上方斜め内甲側に変位させるように構成されている靴。
【請求項２】
前記バンド部材の一端部が、前記アッパー部材と前記底壁部を構成する靴底部材とを縫着する固定糸で内甲側壁部の下方部位又は底壁部に縫着されている請求項１記載の靴。
【請求項３】
前記底壁部を構成する靴底部材が、足挿入空間側の中底部材と外部空間側の外底部材との積層体から構成されているとともに、
前記バンド部材の一端部が、前記中底部材と前記外底部材との間に挟み込まれている請求項１又は２記載の靴。
【請求項４】
前記バンド部材の一端部が前記内甲側壁部の下方部位又は底壁部に固着され、前記バンド部材の他端部が前記外甲側壁部に引張操作自在な状態で備え付けられているとともに、
緊縛操作によって前記内甲側壁部と前記外甲側壁部とを相対近接移動させる幅寸法調整用の靴紐が設けられ、
前記靴紐の緊縛操作によって前記バンド部材を引張し、且つ、前記靴紐の結束操作によってバンド部材の他端部を前記外甲側壁部に固定するように、前記バンド部材の他端部に形成した紐通部に前記靴紐が挿通されている請求項１〜３のいずれか１項に記載の靴。
【請求項５】
アッパー部材の外甲側壁部の下方部位又は底壁部と、前記アッパー部材の内甲側壁部の上下中間部位又は上方部位との間に、紐状又はベルト状のバンド部材が前記底壁部の踵相当部位を経由して引張操作自在な状態で架設され、
前記バンド部材の引張操作によって、前記バンド部材の中間部を足挿入空間の下部の内甲側部位から上方斜め外甲側に変位させるように構成されている靴。
【請求項６】
アッパー部材の内甲側壁部の下方部位又は底壁部と、前記内甲側壁部の上方部位との間に、紐状又はベルト状のバンド部材が前記底壁部の踵相当部位を経由して外甲側壁部の近傍を通過する廻り込み姿勢において引張操作自在な状態で架設され、
前記バンド部材の引張操作によって、前記バンド部材の中間部を足挿入空間の下部の外甲側部位から上方斜め内甲側に変位させるように構成されている靴。
【請求項７】
アッパー部材の外甲側壁部の下方部位又は底壁部と、前記外甲側壁部の上方部位との間に、紐状又はベルト状のバンド部材が前記底壁部の踵相当部位を経由して内甲側壁部の近傍を通過する廻り込み姿勢において引張操作自在な状態で架設され、
前記バンド部材の引張操作によって、前記バンド部材の中間部を足挿入空間の下部の内甲側部位から上方斜め外甲側に変位させるように構成されている靴。
【発明の詳細な説明】
【技術分野】
【０００１】
本発明は、靴に関し、特に、ウォーキング、山登り、球技スポーツなどの各種の運動において運動性能の向上と怪我の防止を図る技術に関する。
【背景技術】
【０００２】
従来、この種の靴としては、内甲側壁部の上方部位と外甲側壁部の上方部位との間に紐状のバンド部材が引張操作自在な状態で架設され、前記バンド部材の引張操作によってバンド部材の中間部を足挿入空間の下部の幅方向中央領域から垂直方向上向きに変位させるように構成されたものが知られている。
【０００３】
【特許文献１】特開平７−１６１０２号公報
【発明の開示】
【発明が解決しようとする課題】
【０００４】
上記従来の靴では、前記バンド部材による着用者の足裏部に対するフィット性の向上で運動性能の向上効果とある程度の怪我の防止効果はあるものの、バンド部材の引張操作によってバンド部材の中間部で着用者の足裏部を左右均等な圧力で押し上げることから、踵骨の外倒れに原因する内反捻挫や踵骨の内倒れに原因する外反捻挫の防止効果はあまり高くない問題があった。
【０００５】
本発明は、上述の実情に鑑みて為されたものであって、その主たる課題は、運動性能の向上を図るとともに、運動時における内反捻挫や外反捻挫の発生を効果的に防止し得る靴を提供する点にある。
【課題を解決するための手段】
【０００６】
本発明の第１特徴構成は、靴に係り、その特徴は、
アッパー部材の内甲側壁部の下方部位又は底壁部とアッパー部材の外甲側壁部の上下中間部位又は上方部位との間に、紐状又はベルト状のバンド部材が前記底壁部の踵相当部位を経由して引張操作自在な状態で架設され、
前記バンド部材の引張操作によって、前記バンド部材の中間部を足挿入空間の下部の外甲側部位から上方斜め内甲側に変位させるように構成されている点にある。
【０００７】
上記構成によれば、前記バンド部材の引張操作によってバンド部材の中間部を足挿入空間の下部の外甲側部位から上方斜め内甲側に変位させるから、バンド部材の中間部でもって着用者の内甲側部位よりも強い押圧力で（又は、内甲側部位には押圧力を付与しない状態で）着用者の外甲側部位（所謂、外側縦アーチ部）を上方斜め内甲側に押圧支持することができて、その押圧支持作用で踵骨の外倒れを抑止することができる。
【０００８】
したがって、着用者の足に対するフィット性の向上で運動性能（例えば、前方推進性）の向上を図りながら、踵骨の外倒れに原因する内反捻挫の発症を効果的に抑止することができる。
【０００９】
本発明の第２特徴構成は、第１特徴構成の実施に好適な構成であり、その特徴は、
前記バンド部材の一端部が、前記アッパー部材と前記底壁部を構成する靴底部材とを縫着する固定糸で内甲側壁部の下方部位又は底壁部に縫着されている点にある。
【００１０】
上記構成によれば、前記アッパー部材と前記靴底部材とを固定糸で縫着固定する構造を採ることに対し、その靴形成用の固定糸でもってバンド部材を縫着固定するから、専用の固定糸でバンド部材を縫着固定する場合に比べて製作材料の少量化と製作工程の削減化を図ることができて、生産効率を効果的且つ効率的に高めることができる。
【００１１】
本発明の第３徴構成は、第１又は第２特徴構成の実施に好適な構成であり、その特徴は、
前記底壁部を構成する靴底部材が、足挿入空間側の中底部材と外部空間側の外底部材との積層体から構成されているとともに、
前記バンド部材の一端部が、前記中底部材と前記外底部材との間に挟み込まれている点にある。
【００１２】
上記構成によれば、底壁部を構成する靴底部材が足挿入空間側の中底部材と外部空間側の外底部材との積層体から構成されていることに対し、その靴底部材の積層構造を活用する形態でバンド部材の固定力を高めることができるから、その分、バンド部材を固定する固定手段として固定力の小さなものも使用することが可能になって、固定手段の選択幅を広くすることができる。
【００１３】
本発明の第４徴構成は、第１〜第３特徴構成のいずれかの特徴構成の実施に好適な構成であり、その特徴は、
前記バンド部材の一端部が前記内甲側壁部の下方部位又は底壁部に固着され、前記バンド部材の他端部が前記外甲側壁部に引張操作自在な状態で備え付けられているとともに、
緊縛操作によって前記内甲側壁部と前記外甲側壁部とを相対近接移動させる幅寸法調整用の靴紐が設けられ、
前記靴紐の緊縛操作によって前記バンド部材を引張し、且つ、前記靴紐の結束操作によってバンド部材の他端部を前記外甲側壁部に固定するように、前記バンド部材の他端部に形成した紐通部に前記靴紐が挿通されている点にある。
【００１４】
上記構成によれば、数多く採用されている靴紐による幅寸法の調整構造を採ることに対し、その靴紐の緊縛操作及び結束操作でバンド部材の押圧力調整とバンド部材の固定を行うことができ、バンド部材専用の押圧力調整手段や固定手段を設ける場合に比べて製作材料の少量化と製作工程の削減化を図ることができて、生産効率を効果的且つ効率的に高めることができる。
【００１５】
本発明の第５徴構成は、靴に係り、その特徴は、
アッパー部材の外甲側壁部の下方部位又は底壁部と、前記アッパー部材の内甲側壁部の上下中間部位又は上方部位との間に、紐状又はベルト状のバンド部材が前記底壁部の踵相当部位を経由して引張操作自在な状態で架設され、
前記バンド部材の引張操作によって、前記バンド部材の中間部を足挿入空間の下部の内甲側部位から上方斜め外甲側に変位させるように構成されている点にある。
【００１６】
上記構成によれば、前記バンド部材の引張操作によってバンド部材の中間部を足挿入空間の下部の内甲側部位から上方斜め外甲側に変位させるから、バンド部材の中間部でもって着用者の外甲側部位よりも強い押圧力で（又は、外甲側部位には押圧力を付与しない状態で）着用者の内甲側部位（所謂、内側縦アーチ部）を上方斜め外甲側に押圧支持することができ、その押圧支持作用で踵骨の内倒れを抑止することができる。
【００１７】
したがって、着用者の足に対するフィット性の向上で運動性能の向上を図りながら、踵骨の内倒れに原因する外反捻挫の発症と効果的に抑止することができる。
【００１８】
本発明の第６特徴構成は、靴に係り、その特徴は、
アッパー部材の内甲側壁部の下方部位又は底壁部と、前記内甲側壁部の上方部位との間に、紐状又はベルト状のバンド部材が前記底壁部の踵相当部位を経由して外甲側壁部の近傍を通過する廻り込み姿勢において引張操作自在な状態で架設され、
前記バンド部材の引張操作によって、前記バンド部材の中間部を足挿入空間の下部の外甲側部位から上方斜め内甲側に変位させるように構成されている点にある。
【００１９】
上記構成によれば、前記バンド部材の引張操作によってバンド部材の中間部を足挿入空間の下部の外甲側部位から上方斜め内甲側に変位させるから、バンド部材の中間部でもって着用者の内甲側部位よりも強い押圧力で（又は、内甲側部位には押圧力を付与しない状態で）着用者の外甲側部位（所謂、外側縦アーチ部）を上方斜め内甲側に押圧支持することができて、その押圧支持作用で踵骨の外倒れを抑止することができる。
【００２０】
したがって、着用者の足に対するフィット性の向上で運動性能（例えば、前方推進性）の向上を図りながら、踵骨の外倒れに原因する内反捻挫の発症を効果的に抑止することができる。
【００２１】
本発明の第７特徴構成は、靴に係り、その特徴は、
アッパー部材の外甲側壁部の下方部位又は底壁部と、前記外甲側壁部の上方部位との間に、紐状又はベルト状のバンド部材が前記底壁部の踵相当部位を経由して内甲側壁部の近傍を通過する廻り込み姿勢において引張操作自在な状態で架設され、
前記バンド部材の引張操作によって、前記バンド部材の中間部を足挿入空間の下部の内甲側部位から上方斜め外甲側に変位させるように構成されている靴。
【００２２】
上記構成によれば、前記バンド部材の引張操作によってバンド部材の中間部を足挿入空間の下部の内甲側部位から上方斜め外甲側に変位させるから、バンド部材の中間部でもって着用者の外甲側部位よりも強い押圧力で（又は、外甲側部位には押圧力を付与しない状態で）着用者の内甲側部位（所謂、内側縦アーチ部）を上方斜め外甲側に押圧支持することができ、その押圧支持作用で踵骨の内倒れを抑止することができる。
【００２３】
したがって、着用者の足に対するフィット性の向上で運動性能の向上を図りながら、踵骨の内倒れに原因する外反捻挫の発症を効果的に抑止することができる。
【発明を実施するための最良の形態】
【００２４】
［第１実施形態］
図１〜図３は、ウォーキングなどの軽運動に使用されるウォーキングシューズ（靴の一例）を示す。右足用と左足用とは左右対称となる以外は同一であるので、左足用のみ説明し、右足用の説明は省略する。
【００２５】
当該ウォーキングシューズは、足Ｊの甲部分及び足首部分を覆う皮革製等のアッパー部材１と、被接地面を形成する樹脂製等の靴底部材２とから構成されている。当該靴底部材２の上面には、織布製の柔軟なインナーソール３が非接着状態で敷設されている。
【００２６】
前記アッパー部材１の後方側には、足を挿入するための足挿入口４が形成されているとともに、アッパー部材１の前後中間部には、アッパー部材１の左右幅寸法を調整するための寸法調整部５が備えられている。
【００２７】
前記寸法調整部５は、前記足挿入口４の前端縁から前方側に向かって延設された細幅のスリット５ａと、当該スリット５ａの両脇に前後方向に沿って並設された多数の紐通穴５ｂと、当該紐通穴５ｂに連続Ｘ字状に挿通された１本の靴紐５ｄとから構成されている。なお、前記アッパー部材１には、スリット５ａを下方から塞ぐ舌皮部１Ｄが備えられている。
【００２８】
つまり、寸法調整部５は、前記靴紐５ｄの緊縛操作によってアッパー部材１の内甲側壁部１Ａと外甲側壁部１Ｂとを相対近接移動させるように構成されている。
【００２９】
前記靴底部材２は、図３〜図６に示すように、ＴＰＵ製のアウトソール６、ＥＶＡ製のミッドソール７、織布等で比較的硬質に形成された中底８（足挿入空間側の中底部材の相当）を、その順に下層側から接着剤や縫製により積層接着して構成されている。また、当該靴底部材２の踵相当部位には、ミッドソール７の基材よりも軟質の素材からなる衝撃緩衝部材９が備えられている。
【００３０】
前記ミッドソール７の踵相当部位の左右方向の中央領域には、前記衝撃緩衝部材９を嵌装するための凹部７ａが形成されているとともに、前記中底８の前記凹部７ａに対応する部位には、衝撃緩衝部材９を中底８の上方側から凹部７ａに挿入するための挿入孔８ａが形成されている。
【００３１】
前記衝撃緩衝部材９は、前記凹部７ａの形状に対応する形態（つまり、凹部７ａの周壁部の全面に密着する形態）で構成された嵌装部９ａと、この嵌装部９ａの上端部位において外方向に突出する環状の鍔部９ｂとから構成されている。
【００３２】
そして、当該ウォーキングシューズの内部の後方側には、着用者の足を下方から押し上げるための皮革製等のベルト状のバンド部材１０が備えられている。
【００３３】
当該バンド部材１０は、バンド部材１０の引張操作によってバンド部材１０の中間部１０ａを足挿入空間Ｓの下部の外甲側部位から上方斜め内甲側（図４中の矢印方向）に変位させる（つまり、図３（ａ）、図４（ａ）の状態から図３（ｂ）、図４（ｂ）の状態に変位させる）ように、アッパー部材１の内甲側壁部１Ａ（靴の内甲側壁部に相当）の下方部位（及び靴底部材２（靴の底壁部に相当））と、アッパー部材１の外甲側壁部１Ｂ（靴の外甲側壁部に相当）の上方部位との間に引張操作自在な状態で架設されている。そして、当該バンド部材１０の上方側に前記インナーソール３が敷設されている。
【００３４】
本例では、図３に示すように、当該バンド部材１０の中間部１０ａが着用者の足Ｊにおける踵骨の前方部位及び立方骨に対面する状態でバンド部材１０が配設されている。
【００３５】
前記バンド部材１０の一端部１０ｂは、前記内甲側壁部１Ａの下端部及び中底８の内甲側端部との両端部に対し、アッパー部材１と靴底部材２とを縫着する固定糸１１（固定手段の一例）でもって共縫い状態で縫着されている。
【００３６】
一方、前記バンド部材１０の他端部１０ｄは、前記外甲側壁部１Ｂに引張操作自在な状態で備え付けられている。本例では、前記バンド部材１０の他端部１０ｄには、前記靴紐５ｄが挿通可能な紐通穴１０ｅ（紐通部の一例）が貫通形成されており、外甲側壁部１Ｂの上方部位に貫通形成された横長のスリット１ａ（挿通部の一例）を通してバンド部材１０の他端部１０ｄを外部空間側に引き出した状態で、その紐通穴１０ｅに前記靴紐５ｄを挿通することによって、バンド部材１０の他端部１０ｄが外甲側壁部１Ｂに備え付けられている。
【００３７】
なお、前記スリット１ａは、着用時においてバンド部材１０を外甲側壁部１Ｂと舌皮部１Ｄとで挟圧し得るように、外甲側壁部１Ｂの内面における舌皮部１Ｄが対面する部位に形成されている。
【００３８】
つまり、当該ウォーキングシューズは、前記靴紐５ｄの緊縛操作によって前記バンド部材１０を引張し、且つ、靴紐５ｄを結束操作によってバンド部材１０の他端部１０ｄを前記外甲側壁部１Ｂに固定するように構成されている。
【００３９】
１２は、ウォーキングシューズの前方部位を靴紐５ｄの緊縛操作によって外方側から局部的に締め付けるための左右一対の締め付け片である。当該締め付け片１２は、固定端側の下端部がアッパー部材１と靴底部材２との間に固着され、自由端側の上端部に形成された紐通孔１２ａに前記靴紐５ｄが挿通されている。
【００４０】
また、当該ウォーキングシューズでは、靴底部材２の前方側の左右中央領域の撓み剛性がそれ以外の部分の撓み剛性よりも大きく構成されている。具体的には、図５、図６に示すように、靴底部材２のミッドソール７について、前方側の左右中央領域の上側部位を一旦分割したのち、その分割部材７ｂとミッドソール本体部との間にメッシュ状等のシート１３を介挿したうえで分割部材７ｂをミッドソール本体部に接着剤等で接着することによって、靴底部材１０の前方側の左右中央領域の撓み剛性を高める手法を採っている。
【００４１】
なお、前記アウトソール６と前記ミッドソール７との積層体は、靴底部材２の外部空間側を構成する外底部材に相当する。また、アッパー部材に形成された各紐通穴には、適宜、ハトメ等の補強部材が装着されている。
【００４２】
［第２実施形態］
当該第２実施形態のウォーキングシューズでは、前記バンド部材１０の一端部１０ｂが前記中底部材と前記外底部材との間に挟み込まれた状態で固着されている。なお、本実施形態では、第１実施形態と同様、左足用のみ説明して右足用の説明は省略する。
【００４３】
具体的には、このウォーキングシューズには、図７に示すように、アッパー部材１の下縁部を中底８の外面（下面）側に周り込ませた状態で中底８の外面に接着剤等で接着するとともに、アッパー部材１の下縁部を中底８との間で挟み込む状態でミッドソール７を中底８に接着剤等で接着する構造が採用されている。
【００４４】
そして、バンド部材１０の一端部１０ｂは、中底８とアッパー部材１との間に位置するように中底８の外面に接着剤で固着するとともに、アッパー部材１に専用糸１４で縫着することによって固定されている。
【００４５】
なお、その他の構成は、第１実施形態で説明した構成と同一であるから、同一の構成箇所には、第１実施形態と同一の番号を付記してそれの説明は省略する。
【００４６】
［第３実施形態］
当該第３実施形態のウォーキングシューズでは、図８、図９に示すように、前記アッパー部材１の寸法調整部５が、前記足挿入口４の前端縁から前方側に向かって延設された細幅のスリット５ａと、当該スリット５ａの両脇部間に足長方向に分散する状態で架設された複数（本例では、２本）のベルト状の第１、第２寸法調整バンド１５、１６から構成されている。なお、本実施形態では、右足用のみ説明して左足用の説明は省略する。
【００４７】
前記第１寸法調整バンド１５は、一端部１５ａが外甲側壁部１Ｂの外面に縫着された固定端に構成されているとともに、他端部１５ｂが内甲側壁部の上方部位に形成されたスリット１７に挿通保持された遊端に構成されている。
【００４８】
そして、第１寸法調整バンド１５の一端部１５ａと他端部１５ｂとの間には、当該一端部１５ａと他端部１５ｂとを左右幅方向の複数箇所で係止自在な係止手段が備えられている。当該係止手段は、第１寸法調整バンドの一端部と他端部とに分かれて配設された雄雌一対の面ファスナーから構成されている。
【００４９】
前記第２寸法調整バンド１６は、足押し上げ用の前記バンド部材１０に兼用構成されている。具体的には、第２寸法調整バンド１６は、前記バンド部材１０の他端部１０ｄ側の部位から構成されている。
【００５０】
具体的には、前記バンド部材１０の他端部１０ｄを外甲側壁部１Ｂの上方部位に引張操作自在な状態で備え付ける構造として、バンド部材１０の他端部１０ｄを前記舌皮部１Ｄの上面側を通過させる形態で外甲側壁部１Ｂの上方部位に形成されたスリット１ａと内甲側壁部１Ａの上方部位に形成されたスリット１９に順に通過させて内甲側壁部１Ａから外部に引き出したのち、係止手段１８によって外甲側壁部１Ｂの外面に対し左右幅方向の複数個所で選択的に係止させる構造を採っている。
【００５１】
なお、当該係止手段１８は、外甲側壁部１Ｂの外面と前記バンド部材１０の他端部１０ｄの内面とに分かれて配設された雄雌一対の面ファスナー１８ａ、１８ｂから構成されている。
【００５２】
すなわち、当該バンド部材１０は、バンド部材１０の引張操作によって、バンド部材１０の中間部１０ａを足挿入空間Ｓの下部の外甲側部位から上方斜め内甲側（図９中の矢印方向）に変位させる（つまり、図９（ａ）の状態から図９（ｂ）の状態に変位させる）形態で足への押圧力を調整するとともに、内甲側壁部１Ａと外甲側壁部を近接させる形態で靴幅寸法を調整するように構成されている。
【００５３】
なお、その他の構成は、第１実施形態で説明した構成と同一であるから、同一の構成箇所には、第１実施形態と同一の番号を付記してそれの説明は省略する。
【００５４】
［第４実施形態］
当該第４実施形態のウォーキングシューズでは、図１０、図１１に示すように、内甲側壁部１Ａの下方部位（及び靴底部材２）と内甲側壁部１Ａの上方部位との間に、前記バンド部材が外甲側壁部１Ｂの近傍を通過する廻り込み姿勢において引張操作自在な状態で架設されている。なお、本実施形態では、第３実施形態と同様、右足用のみ説明して左足用の説明は省略する。
【００５５】
前記第２寸法調整バンド１６は、前述の第３実施形態と同様に足押し上げ用の前記バンド部材１０に兼用構成されているが、本第４実施形態では、外甲側壁部１Ｂにスリットが形成されておらず、バンド部材１０の他端部１０ｄを外甲側壁部１Ｂに沿わせたのちに前記舌皮部１Ｄの上面側を通過させ、その後、内甲側壁部１Ａの上方部位に形成されたスリット１９を通して内甲側壁部１Ａから外部に引き出して前記係止手段によって外甲側壁部１Ｂの外面に係止させる構造を採っている。
【００５６】
つまり、当該バンド部材１０は、バンド部材１０の引張操作によって、バンド部材１０の中間部１０ａを足挿入空間Ｓの下部の外甲側部位から上方斜め内甲側（図１１中の矢印方向）に変位させる（つまり、図１１（ａ）の状態から図１１（ｂ）の状態に変位させる）形態で足への押圧力を調整するとともに、内甲側壁部１Ａと外甲側壁部を近接させる形態で靴幅寸法を調整するように構成されている。
【００５７】
なお、その他の構成は、第３実施形態で説明した構成と同一であるから、同一の構成箇所には、第３実施形態と同一の番号を付記してそれの説明は省略する。
【００５８】
［その他の実施形態］
（１）前述の第１〜第３実施形態では、内甲側壁部１Ａの下方部位又は底壁部２と、外甲側壁部１Ｂの上下中間部位又は上方部位との間に、前記バンド部材１０が引張操作自在な状態で架設され、バンド部材１０の引張操作によってバンド部材１０の中間部１０ａを足挿入空間Ｓの下部の外甲側部位から上方斜め内甲側に変位させるように構成されている場合を例に示したが、これとは左右幅方向で逆に、外甲側壁部１Ｂの下方部位又は底壁部２と、内甲側壁部１Ａの上下中間部位又は上方部位との間に、前記バンド部材１０が引張操作自在な状態で架設され、バンド部材１０の引張操作によってバンド部材１０の中間部１０ａを足挿入空間Ｓの下部の外甲側部位から上方斜め内甲側に変位させるように構成されていてもよい。
【００５９】
（２）前述の各実施形態では、バンド部材１０の一端部１０ｂが内甲側壁部１Ａの下方部位と底壁部２の両方に固定されている場合を例に示したが、内甲側壁部１Ａの下方部位と底壁部２のいずれか一方に固定されていてもよい。
【００６０】
（３）前述の第１〜第３実施形態では、バンド部材１０の他端部１０ｄが外甲側壁部１Ｂの上方部位に備え付けられている場合を例に示したが、外甲側壁部１Ａの上下中間部位に備え付けられていてもよい。
【００６１】
（４）バンド部材１０の一端部１０ｂをウォーキングシューズに固定する固定手段は、前述の各実施形態で示した固定糸に限らず、ビスや釘・接着剤・粘着テープ等であってもよい。
【００６２】
（５）前述の各実施形態では、バンド部材１０の他端部１０ｄを外部に引き出すための挿通部として、アッパー部材１に形成されたスリットを例に示したが、アッパー部材１に形成された切り欠き等であってもよい。
【００６３】
（６）前述の各実施形態では、バンド部材１０の他端部１０ｄをアッパー部材１に備え付ける具体的構造は、前述の各実施形態で示した靴紐との連結構造や面ファスナー等の係止手段による係止構造に限らず、粘着テープや紐や糸等の固定手段による固定構造などであってもよい。
【００６４】
（７）バンド部材１０の素材や形状等の具体的構成は種々の構成変更が可能であり、例えば、皮革製に限らず樹脂製や布製等であってもよく、また、ベルト状に限らず紐状等であってもよい。
【００６５】
（８）前述の各実施形態では、バンド部材１０の中間部１０ａ後方側に位置する状態でバンド部材１０が配設されている場合を例に示したが、バンド部材１０の中間部１０ａが靴前方側や中央に位置する状態で配設されていてもよい。
【００６６】
（９）前述の各実施形態では、靴底部材２が３層構造で構成されている場合を例に示したが、１層構造や２層構造或いは４層以上の構造であってもよい。
【００６７】
（１０）前述の第４実施形態では、内甲側壁部１Ａの下方部位又は底壁部２と、内甲側壁部１Ａの上方部位との間に、前記バンド部材１０が外甲側壁部１Ｂの近傍を通過する廻り込み姿勢において引張操作自在な状態で架設され、バンド部材１０の引張操作によってバンド部材１０の中間部１０ａを足挿入空間Ｓの下部の外甲側部位から上方斜め内甲側に変位させるように構成されている場合を例に示したが、これとは左右幅方向で逆に、外甲側壁部１Ｂの下方部位又は底壁部２と、外甲側壁部１Ｂの上方部位との間に、前記バンド部材１０が内甲側壁部１Ａの近傍を通過する廻り込み姿勢において引張操作自在な状態で架設され、バンド部材１０の引張操作によってバンド部材１０の中間部１０ａを足挿入空間Ｓの下部の内甲側部位から上方斜め外甲側に変位させるように構成されていてもよい。
【００６８】
（１１）前述の第４実施形態では、前記バンド部材１０が前記舌皮部１Ｄの上面側を通過する状態で備えられている場合を例に示したが、前記舌皮部１Ｄの下面側を通過する状態で備えられていてもよい。
【００６９】
（１２）前述の各実施形態では、靴の一例としてウォーキングシューズを例に示したが、ランニングシューズ、トレッキングシューズ、球技用シューズ、山登り用のブーツなどの各種の靴であってもよい。
【図面の簡単な説明】
【００７０】
【図１】第１実施形態のウォーキングシューズの説明図（上面図）
【図２】第１実施形態のウォーキングシューズの説明図（上面図）
【図３】第１実施形態のウォーキングシューズの一部破断左側面図
【図４】第１実施形態のウォーキングシューズの横断面図
【図５】靴底部材要部の分解図
【図６】靴底部材の横断面図
【図７】第２実施形態のウォーキングシューズの横断面図
【図８】第３実施形態のウォーキングシューズの説明図（上面図）
【図９】第３実施形態のウォーキングシューズの横断面図
【図１０】第４実施形態のウォーキングシューズの説明図（上面図）
【図１１】第４実施形態のウォーキングシューズの横断面図
【符号の説明】
【００７１】
１          アッパー部材
１Ａ        内甲側壁部
１Ｂ        外甲側壁部
２          靴底部材（靴底部）
５ｄ        靴紐
８          中底（中底部材）
１０        バンド部材
１０ａ      中間部
１０ｂ      一端部
１０ｄ      他端部
１１        固定紐
１２ａ      紐通穴
【図１】
0005150377.tif 000002
【図２】
0005150377.tif 000003
【図３】
0005150377.tif 000004
【図４】
0005150377.tif 000005
【図５】
0005150377.tif 000006
【図６】
0005150377.tif 000007
【図７】
0005150377.tif 000008
【図８】
0005150377.tif 000009
【図９】
0005150377.tif 000010
【図１０】
0005150377.tif 000011
【図１１】
0005150377.tif 000012